(57)【特許請求の範囲】
【請求項１】
表示画面上に画像を表示する画像表示手段と、
前記表示画面上のオペレータの指の接触位置を検出する接触位置検出手段と、
前記接触位置検出手段の検出結果に基づいて前記表示画面に触れた状態で移動する前記オペレータの指の接触開始点から接触終了点までの移動量を算出する移動量算出手段と、
前記移動量算出手段により算出した前記移動量が予め設定した基準移動量を上回っているか否かを判定する移動量判定手段と、
前記接触位置検出手段の検出結果に基づいて前記接触開始点から前記接触終了点までの直線軌道に対するオペレータの指の位置ずれ量を算出する位置ずれ量算出手段と、
前記位置ずれ量算出手段により算出した前記位置ずれ量が予め設定した基準位置ずれ量を下回っているか否かを判定する位置ずれ量判定手段と、
前記移動量判定手段により前記移動量が前記基準移動量を上回っていると判定されかつ前記位置ずれ量判定手段により前記位置ずれ量が前記基準位置ずれ量を下回っていると判定された場合に前記表示画面を２分割するように前記画像表示手段の動作を制御する画面分割制御手段と、を具備する、表示装置。
【請求項２】
前記表示画面に対するオペレータの指の接触時間を計測する接触時間計測手段と、
前記接触時間計測手段により計測された前記接触開始点での接触時間が予め設定した基準接触時間を下回っているか否かを判定する接触時間判定手段と、を備え、
前記画面分割制御手段は、前記接触時間判定手段により前記計測時間が前記基準接触時間を下回っていると判定された場合に前記表示画面を２分割するように前記画像表示手段の動作を制御する、請求項１記載の表示装置。
【請求項３】
前記画面分割制御手段は、前記接触開始点と前記接触終了点との位置関係に基づいて、２分割した第１の分割画面と第２の分割画面との表示位置を決定するように前記画像表示手段の動作を制御する、請求項１記載の表示装置。
【請求項４】
前記画面分割制御手段は、前記接触開始点と前記接触終了点との前記表示画面のＹ軸座標の変化が大きい場合には前記第１の分割画面と前記第２の分割画面とを左右に分割表示し、前記接触開始点と前記接触終了点との前記表示画面のＸ軸座標の変化が大きい場合には前記第１の分割画面と前記第２の分割画面とを上下に分割表示するように前記画像表示手段の動作を制御する、請求項３記載の表示装置。
【請求項５】
前記画面分割制御手段は、前記接触開始点および前記接触終了点が前記表示画面の画面中心から所定範囲内にある場合には前記画面中心を通る線分で前記表示画面を２分割するように前記画像表示手段の動作を制御する、請求項４記載の表示装置。
【請求項６】
乗員が何れの乗車位置に着座したかを検出する着座位置検出手段を備えた車両に搭載した場合、
前記画面分割制御手段は、前記着座位置検出手段により検出した前記オペレータの着座位置に近い側の分割画面に２分割後の新たな画像を表示するように前記画像表示手段の動作を制御する、請求項１記載の表示装置。
【請求項７】
前記画面分割制御手段は、２分割された何れか一方の分割画面にオペレータの指を接触させた状態で、前記接触時間計測手段により計測された前記分割画面に対する接触時間が前記接触時間判定手段により前記基準接触時間を上回っていると判定された場合に、オペレータの指が接触している前記分割画面を他方の分割画面側にドラッグ可能とし、前記分割画面を他方の分割画面側にドラッグしながら移動させることにより２分割後の各画像の表示位置を入れ替えるように前記画像表示手段の動作を制御する、請求項２記載の表示装置。
【請求項８】
前記画面分割制御手段は、２分割された第１の分割画面と第２の分割画面との分割境界線にオペレータの指を接触させた状態で、前記接触時間計測手段により計測された前記分割境界線に対する接触時間が前記接触時間判定手段により前記基準接触時間を上回っていると判定された場合に、オペレータの指が接触している前記分割境界線をドラッグ可能とし、オペレータの指が接触している前記分割境界線をドラッグしながら移動させることにより２分割後の各分割画面の画面サイズを変更するように前記画像表示手段の動作を制御する、請求項２記載の表示装置。
【請求項９】
前記画面分割制御手段により２分割された第１の分割画面の第１の画像音量と第２の分割画面の第２の画像音量とを、前記画面サイズ変更手段により変更された画面サイズに対応させて増減させる音量調節手段を具備する、請求項８記載の表示装置。
【請求項１０】
表示画面上に画像を表示する画像表示ステップと、
前記表示画面上のオペレータの指の接触位置を検出する接触位置検出ステップと、
前記接触位置検出ステップでの検出結果に基づいて前記表示画面に触れた状態で移動する前記オペレータの指の接触開始点から接触終了点までの移動量を算出する移動量算出ステップと、
前記移動量算出ステップにより算出した前記移動量が予め設定した基準移動量を上回っているか否かを判定する移動量判定ステップと、
前記接触位置検出ステップでの検出結果に基づいて前記接触開始点から前記接触終了点までの直線軌道に対するオペレータの指の位置ずれ量を算出する位置ずれ量算出ステップと、
前記位置ずれ量算出ステップにより算出した前記位置ずれ量が予め設定した基準位置ずれ量を下回っているか否かを判定する位置ずれ量判定ステップと、
前記移動量判定ステップにより前記移動量が前記基準移動量を上回っていると判定されかつ前記位置ずれ量判定ステップにより前記位置ずれ量が前記基準位置ずれ量を下回っていると判定された場合に前記表示画面を２分割するように前記画像表示ステップの動作を制御する画面分割制御ステップと、を具備する、表示方法。
【発明の詳細な説明】
【技術分野】
【０００１】
本発明は、表示装置に関し、特に、車両の後部座席の乗員がテレビ、ＶＴＲ（Ｖｉｄｅｏ  Ｔａｐｅ  Ｒｅｃｏｒｄｅｒ）、ＤＶＤ（Ｄｉｇｉｔａｌ  Ｖｉｄｅｏ  Ｄｉｓｃ）、カーナビゲーション等の画像を音声と共に鑑賞するためのディスプレイとして最適な表示装置に関する。
【背景技術】
【０００２】
従来、この種の表示装置として、ハイビジョン放送のようなアスペクト比１６：９の横長の画像を表示可能なワイドパネルが提供されている。
【０００３】
このような表示画面が横長の表示装置においては、テレビの地上波放送のようなアスペクト比４：３の画像を、アスペクト比を変えずに表示すると、表示画面の両サイドに画像の無い通常黒色の無駄な空白領域が生じる。
【０００４】
このような表示画面上の空白領域の活用形態の１つとして、ワイドパネルの特徴を生かして表示画面を２分割し、１つの表示画面に複数のソースの画像（主画像と副画像）を同時に表示するものが知られている（例えば、特許文献１参照）。
【特許文献１】特開平８−５１５８０号公報
【発明の開示】
【発明が解決しようとする課題】
【０００５】
しかしながら、前記従来の表示装置においては、表示画面を分割する場合、例えば、表示装置専用のリモートコントローラに設けられた画面分割キー、表示装置本体に設けられたエスカッションスイッチ、表示画面のタッチパネルに表示された選択キーなどを操作して、オペレータが画面分割を指示するようにしている。
【０００６】
このため、このような従来の表示装置では、例えば、リモートコントローラを用いて画面分割する場合には、画面分割の操作に手間がかかる。また、この場合、持ち運び可能な表示装置や車載用の表示装置では、リモートコントローラを置き忘れたり紛失したりするおそれが高い。
【０００７】
また、エスカッションスイッチを設けた表示装置や、表示画面のタッチパネルに選択キーを表示する表示装置では、エスカッションスイッチや選択キーのレイアウトスペースによって表示画面に表示される画像の表示面積が制約されてしまうため、迫力ある大画面の画像を表示することができなくなってしまう。
【０００８】
なお、表示画面のタッチパネルに選択キーを表示する表示装置では、画面分割後に主画像および副画像を全画面表示すればよいが、表示画面の切り替えを行う毎に、選択キーを表示させる必要があり、表示画面の切り替え操作に手間がかかってしまう。
【０００９】
本発明は、かかる点に鑑みてなされたもので、極めて容易な操作により表示画面を２分割することができる表示装置を提供することを目的とする。
【課題を解決するための手段】
【００１０】
かかる課題を解決するため、本発明の表示装置は、表示画面上に画像を表示する画像表示手段と、前記表示画面上のオペレータの指の接触位置を検出する接触位置検出手段と、前記接触位置検出手段の検出結果に基づいて前記表示画面に触れた状態で移動する前記オペレータの指の接触開始点から接触終了点までの移動量を算出する移動量算出手段と、前記移動量算出手段により算出した前記移動量が予め設定した基準移動量を上回っているか否かを判定する移動量判定手段と、前記接触位置検出手段の検出結果に基づいて前記接触開始点から前記接触終了点までの直線軌道に対するオペレータの指の位置ずれ量を算出する位置ずれ量算出手段と、前記位置ずれ量算出手段により算出した前記位置ずれ量が予め設定した基準位置ずれ量を下回っているか否かを判定する位置ずれ量判定手段と、前記移動量判定手段により前記移動量が前記基準移動量を上回っていると判定されかつ前記位置ずれ量判定手段により前記位置ずれ量が前記基準位置ずれ量を下回っていると判定された場合に前記表示画面を２分割するように前記画像表示手段の動作を制御する画面分割制御手段と、を具備する構成を採る。
【発明の効果】
【００１１】
本発明によれば、オペレータが表示画面に触れた指を表示画面上でなぞって所定量移動させるという極めて容易な操作により表示画面を２分割することができる。
【発明を実施するための最良の形態】
【００１２】
以下、本発明の実施の形態に係る表示装置について、図面を参照して詳細に説明する。なお、各図において同一の構成または機能を有する構成要素及び相当部分には、同一の符号を付してその説明は繰り返さない。また、ここでは、本例の表示装置として、車載用のワイドパネルを例にとって説明することとする。
【００１３】
図１は、本発明の一実施の形態に係る表示装置を搭載するのに適した車両の概略構成を示す概略断面図である。図２は、図１に示した車両の概略構成を示す概略平面図である。
【００１４】
図１および図２に示すように、本例の表示装置であるワイドパネル１００は、車両２００の運転席２０１及び助手席２０２と後部座席２０３との間の天井部分に取り付けられている。
【００１５】
また、本例のワイドパネル１００は、不使用時は図１に鎖線で示すように、車室内の天井部分と平行になるように収納され、使用時は図１に実線でしめすように、後部座席２０３に着座した乗員３００Ａ，３００Ｂの前方の中間位置に降下してくるように構成されている。
【００１６】
また、本例のワイドパネル１００は、運転席２０１の前方のコンソールボックス（不図示）に配設されたカーナビゲーション装置（以下、単に「カーナビ」という）４００と交信自在に接続されており、ワイドパネル１００の表示画面１０１に表示された画像を、カーナビ４００の表示画面４０１に転送表示させることできるようになっている。
【００１７】
これにより、例えば、後部座席２０３に着座した乗員３００Ａは、ワイドパネル１００の表示画面１０１に表示された画像の表示情報を、カーナビ４００の表示画面４０１に転送表示して、運転席２０１に着座した運転者３００Ｃに迅速に知らせることが可能となる。
【００１８】
また、図２に示すように、車両２００の後部座席２０３の両サイド部には、第１スピーカ５００Ａと、第２スピーカ５００Ｂとが配設されている。
【００１９】
第１スピーカ５００Ａは、後部座席２０３に着座した乗員３００Ａが鑑賞しているワイドパネル１００の表示画面１０１に表示された画像の音声を出力することができる。
【００２０】
第２スピーカ５００Ｂは、後部座席２０３に着座した乗員３００Ｂが鑑賞しているワイドパネル１００の表示画面１０１に表示された画像の音声を出力することができる。
【００２１】
また、これらの第１スピーカ５００Ａおよび第２スピーカ５００Ｂは、ワイドパネル１００の表示画面１０１に表示される画像の音声をステレオ出力したり、一方から主音声他方から副音声を出力したりすることもできる。
【００２２】
また、後部座席２０３のシート部と背もたれ部には、着座した乗員３００Ａ，３００Ｂの着座位置を検出するための重量センサからなる着座センサ６００Ａ，６００Ｂがそれぞれ配設されている。なお、ここでは、乗員３００Ａに対応した着座センサ６００Ａ，６００Ｂのみを示しているが、乗員３００Ｂに対応した着座センサも配設されている。
【００２３】
次に、ワイドパネル１００の構成について説明する。図３は、本発明の一実施の形態に係る表示装置の構成を示すブロック図である。
【００２４】
図３に示すように、本例の表示装置であるワイドパネル１００は、画像表示部１０２、接触位置検出部１０３、移動量算出部１０４、移動量判定部１０５、位置ずれ量算出部１０６、位置ずれ量判定部１０７、画面分割制御部１０８、接触時間計測部１０９、接触時間判定部１１０、着座位置検出部１１１、音量調節部１１２を備えている。
【００２５】
図３において、画像表示部１０２は、ＬＣＤタッチパネルからなる表示画面１０１上にテレビ、ＶＴＲ、ＤＶＤ、カーナビゲーション等の画像を表示する。なお、これらの各種の画像ソースは、図示しない外部機器から入力される。
【００２６】
接触位置検出部１０３は、表示画面１０１上のオペレータ（本例では、乗員３００Ａとする）の指の接触位置を検出する（図４参照）。
【００２７】
移動量算出部１０４は、接触位置検出部１０３の検出結果に基づいて、表示画面１０１に触れた状態で移動するオペレータの指の接触開始点Ｓから接触終了点Ｅまでの移動量を算出する。
【００２８】
移動量判定部１０５は、移動量算出部１０４により算出したオペレータの指の接触開始点Ｓから接触終了点Ｅまでの移動量が予め設定した基準移動量を上回っているか否かを判定する。
【００２９】
位置ずれ量算出部１０６は、接触位置検出部１０３の検出結果に基づいて、オペレータの指の接触開始点Ｓから接触終了点Ｅまでの直線軌道に対するオペレータの指の位置ずれ量を算出する。
【００３０】
位置ずれ量判定部１０７は、位置ずれ量算出部１０６により算出したオペレータの指の接触開始点Ｓから接触終了点Ｅまでの直線軌道に対するオペレータの指の位置ずれ量が予め設定した基準位置ずれ量を下回っているか否かを判定する。
【００３１】
画面分割制御部１０８は、移動量判定部１０５により前記移動量が前記基準移動量を上回っていると判定され、かつ位置ずれ量判定部１０７により前記位置ずれ量が前記基準位置ずれ量を下回っていると判定された場合に、表示画面１０１を２分割するように画像表示部１０２の動作を制御する。
【００３２】
接触時間計測部１０９は、表示画面１０１に対するオペレータの指の接触時間を計測する。
【００３３】
接触時間判定部１１０は、接触時間計測部１０９により計測されたオペレータの指の接触開始点Ｓでの表示画面１０１への接触時間が予め設定した基準接触時間を下回っているか否かを判定する。
【００３４】
着座位置検出部１１１は、オペレータである乗員３００Ａが何れの着座位置に着座したかを検出する。
【００３５】
本例のワイドパネル１００の着座位置検出部１１１は、例えば、図１および図２に示すように、着座センサ６００Ａ，６００Ｂからの出力の有無により、乗員３００Ａが後部座席２０３の車両２００の進行方向左側（助手席２０２の後部）に着座していることを検出する。
【００３６】
また、本例のワイドパネル１００の着座位置検出部１１１は、後部座席２０３の背もたれ部に配設した着座センサ６００Ｂの出力により、乗員３００Ａが前屈みになって後部座席２０３の背もたれ部から離れた状態にあることを検出する。
【００３７】
そして、この状態で接触位置検出部１０３によりオペレータの指が表示画面１０１に接触していることを検出した場合には、図１および図２に示すように、乗員３００Ａが表示画面１０１を操作しているオペレータであると判断する。
【００３８】
音量調節部１１２は、前述した第１スピーカ５００Ａおよび第２スピーカ５００Ｂから出力される音量を調節する。
【００３９】
次に、本例のワイドパネル１００の表示画面１０１を画面分割する場合のオペレータの画面分割操作について説明する。図４は、本発明の一実施の形態に係る表示装置の表示画面を左右に２分割する場合のオペレータの画面分割操作を説明するための概略図である。
【００４０】
図４に示すように、本例のワイドパネル１００の表示画面１０１を２分割する場合には、オペレータである乗員３００Ａが、ワイドパネル１００の表示画面１０１に表示されている画像上に分割境界線を描くように表示画面１０１上の分割部位をなぞる。
【００４１】
このオペレータの操作により、まず、接触位置検出部１０３において、表示画面１０１上のオペレータの指の接触開始点Ｓから接触終了点Ｅまでの接触位置を検出する。
【００４２】
次いで、移動量算出部１０４において、接触位置検出部１０３の検出結果に基づいて、オペレータの指の表示画面１０１上での移動距離である接触開始点Ｓから接触終了点Ｅまでの移動量Ｌａを算出する。
【００４３】
そして、移動量判定部１０５において、移動量算出部１０４により算出したオペレータの指の接触開始点Ｓから接触終了点Ｅまでの移動量Ｌａと、予め設定した基準移動量Ｌｓとを比較し、Ｌａ＞Ｌｓの関係にあるか否かを判定する。
【００４４】
ここで、オペレータの指は、表示画面１０１上を直線的に移動することは難しく、その移動軌跡は少なからず蛇行したものとなる確率が高い。
【００４５】
そこで、本例のワイドパネル１００においては、接触位置検出部１０３の検出結果に基づいて、オペレータの指の蛇行幅である接触開始点Ｓから接触終了点Ｅまでの直線軌道に対するオペレータの指の位置ずれ量δを位置ずれ量算出部１０６において算出する。
【００４６】
次いで、位置ずれ量判定部１０７において、位置ずれ量算出部１０６により算出したオペレータの指の接触開始点Ｓから接触終了点Ｅまでの直線軌道に対するオペレータの指の位置ずれ量δと、予め設定した基準位置ずれ量δｓとを比較し、δ＜δｓの関係にあるか否かを判定する。
【００４７】
そして、画面分割制御部１０８は、移動量判定部１０５により移動量Ｌａが基準移動量Ｌｓを上回っていると判定され、かつ位置ずれ量判定部１０７により位置ずれ量δが基準位置ずれ量δｓを下回っていると判定された場合に、表示画面１０１を２分割するように画像表示部１０２の動作を制御する。
【００４８】
この結果、図４の下部に示すように、ワイドパネル１００の表示画面１０１が画面中央を分割境界として左右に２分割される。
【００４９】
本例のワイドパネル１００においては、上述の画面分割操作により、表示画面１０１の左方の第１の分割画面１０１Ａに、画面分割前に表示されていた主画像（×印で表記）が表示され、表示画面１０１の右方の第２の分割画面１０１Ｂに、画面分割後に表示される副画像（○印で表記）が表示される。
【００５０】
なお、図４では、オペレータが表示画面１０１上で指を縦方向になぞって表示画面１０１を左右に分割する場合を示したが、本例のワイドパネル１００は、図５に示すように、オペレータが表示画面１０１上で指を横方向になぞって表示画面１０１を上下に分割することも可能になっている。
【００５１】
ここでは、本例のワイドパネル１００の表示画面１０１の画面分割後の第１の分割画面１０１Ａ（主画像）のデフォルトでの表示位置を、図４では左方、図５では上方としているが、第１の分割画面１０１Ａ（主画像）と、第２の分割画面１０１Ｂ（副画像）のデフォルトでの表示位置は逆であってもよい。
【００５２】
また、本例のワイドパネル１００においては、以下に示す（１）〜（５）のＡＮＤ条件を満たしたときに、表示画面１０１の画面分割を行なうようにすることができる。
【００５３】
（１）オペレータの指の接触開始点Ｓから接触終了点Ｅまでの移動量（移動距離）Ｌａが一定距離以上（Ｌａ＞Ｌｓ）。ここで、基準移動量Ｌｓは、例えば、ワイドパネル１００の表示画面１０１のディスプレイ垂直方向の高さＨの一定割合の値とすることができる。なお、接触開始点Ｓと接触終了点Ｅは、いずれのＹ座標が大きくてもよい。
【００５４】
（２）接触開始点Ｓが表示画面１０１のディスプレイ垂直方向の高さＨの半分、つまり図４においては、接触開始点ＳがＨ／２以上であり、かつ接触終了点Ｅがディスプレイ垂直方向の高さＨの半分（Ｈ／２）以下。
【００５５】
（３）接触開始点Ｓから接触終了点ＥまでのＸ方向の変位が規定値以下（δ＜δｓ）。ここで、接触開始点Ｓから接触終了点ＥまでのＸ方向の変位は、位置ずれ量算出部１０６により、接触位置検出部１０３の検出結果に基づいて、オペレータの指の接触開始点Ｓから接触終了点Ｅまでの直線軌道に対するオペレータの指の位置ずれ量δを算出することで得られる。また、変位が規定値以下であるか否かは、位置ずれ量判定部１０７により、位置ずれ量算出部１０６により算出したオペレータの指の接触開始点Ｓから接触終了点Ｅまでの直線軌道に対するオペレータの指の位置ずれ量δが予め設定した基準位置ずれ量δｓを下回っているか否かを判定することで得られる。
【００５６】
（４）接触開始点Ｓの押下時から、接触終了点Ｅで指を離した時までの経過時間が規定範囲内であること。ここで、経過時間は、接触時間計測部１０９により表示画面１０１に対するオペレータの指の接触時間を計測することで得られる。また、経過時間が規定範囲内であるか否かは、接触時間判定部１１０により、接触時間計測部１０９により計測されたオペレータの指の接触開始点Ｓでの表示画面１０１への接触時間が予め設定した基準接触時間を下回っているか否かを判定することで得られる。
【００５７】
（５）接触開始時点Ｓから接触終了時点Ｅまでの間のＸ方向の移動量の総和を積算し、積算された値が所定の規定値を超えていないこと。これにより、接触開始点Ｓから接触終了点Ｅまでの間にオペレータの指の軌跡（接触軌道）が曲線を描く場合を除去することができるようになり、オペレータの操作が画面分割操作であるのか、それとも画面分割以外の他の操作であるのかを明確に区分できるようになる。
【００５８】
次に、オペレータの指の軌跡の蓄積方法および処理方法について説明する。
【００５９】
オペレータの指の軌跡は、例えば、表示画面１０１上のタッチパネルの指の押下位置を単位時間（０．１秒程度）毎に取得し、１０秒程度のタッチパネルの指の押下位置を蓄積できるように、１００要素程度からなるリングバッファに蓄積する。
【００６０】
ここで、短時間（０．２秒程度以下）の指離れは無視し、タッチパネルの指の押下が規定時間（０．５秒程度）以上継続後、押下無し状態が規定時間（０．３秒程度）以上継続した場合に、接触開始点Ｓをタッチパネルの押下開始点に設定し、接触終了点Ｅを最後にタッチパネルが指で押下されていた押下終了点に設定する。
【００６１】
本例のワイドパネル１００においては、上述のようにしてオペレータの指の軌跡の蓄積および処理を行うことによって、表示画面１０１の画面分割やサイズ変更、移動、１画面化等の画面遷移の判定を行なうことが可能になる。
【００６２】
例えば、本例のワイドパネル１００においては、接触開始点Ｓと接触終了点ＥのＸ座標が両方とも（または２点の平均）が表示画面１０１のディスプレイ中心から水平方向の所定範囲内にある場合には、図６に示すように、そこを分割境界として分割することができる。
【００６３】
これにより、本例のワイドパネル１００においては、その表示画面１０１をオペレータの指の軌跡にならった位置で左右に２分割することができるようになり、オペレータが画面分割操作時に分割境界線の位置を設定する必要が無くなり、オペレータの画面分割操作をより容易にすることができる。
【００６４】
また、本例のワイドパネル１００においては、接触開始点Ｓと接触終了点ＥのＸ座標が両方とも（または２点の平均）が表示画面１０１のディスプレイ中心から水平方向の所定範囲内に無い場合には、図７に示すように、画面分割後の分割境界線が表示画面１０１のディスプレイ中心を通るように画面分割することができる。
【００６５】
なお、この場合には、表示画面１０１のディスプレイ中心から水平方向の所定範囲のうち、接触開始点Ｓもしくは接触終了点Ｅに最も近い垂直線を分割境界とするようにしてもよい。
【００６６】
また、本例のワイドパネル１００においては、図８に示すように、表示画面１０１上のタッチパネルのドラッグ中に、上述した画面分割条件を満たした場合に、デフォルトでは矢印で表記されているカーソル８０１が、視覚的に画面分割操作を想起させるような絵柄（ここでは、はさみのイラスト）のカーソル８０２（等）に変化するようになっている。
【００６７】
このように、本例のワイドパネル１００は、その表示画面１０１上に表記されるカーソルの種類をオペレータの指の軌跡から得られる条件に応じて変更することができるので、オペレータの操作が画面分割操作であるのか、それとも画面分割以外の他の操作であるのかを視覚的に区分できるようになる。
【００６８】
また、本例のワイドパネル１００においては、接触開始点Ｓと接触終了点Ｅの位置関係から、表示画面１０１を２分割した際の、第１の分割画面１０１Ａ（主画像）と、第２の分割画面１０１Ｂ（副画像）との表示位置を変更することが可能となっている。
【００６９】
例えば、本例のワイドパネル１００においては、図９に示すように、接触終了点Ｅが接触開始点Ｓに対して表示画面１０１の右側にある場合には、主画像が表示される第１の表示画面１０１Ａが右側に表示される。
【００７０】
また、本例のワイドパネル１００においては、接触終了点Ｅが接触開始点Ｓに対して表示画面１０１の左側にある場合には、主画像が表示される第１の表示画面１０１Ａが左側に表示される。
【００７１】
これにより、本例のワイドパネル１００においては、オペレータが、画面分割操作時に、主画像が表示される第１の表示画面１０１Ａを所望の表示位置に容易に選択表示させることができるようになる。
【００７２】
なお、図９では、オペレータの指の接触終了点Ｅが表示画面１０１の下方に位置する場合の例について説明したが、本例のワイドパネル１００においては、図１０に示すように、オペレータの指の接触終了点Ｅが表示画面１０１の上方に位置する場合でも、主画像が表示される第１の表示画面１０１Ａを所望の表示位置に容易に選択表示させることが可能である。
【００７３】
また、本例のワイドパネル１００においては、表示画面１０１のタッチパネルを操作しているオペレータが、車両２００の後部座席２０３の左右何れの着座位置に着座しているかによって、画面分割後の第１の表示画面１０１Ａと第２の表示画面１０１Ｂとの表示位置を変えることができるようになっている。
【００７４】
例えば、図１および図２に示したように、オペレータ（乗員３００Ａ）が車両２００の後部座席２０３の進行方向左側の着座位置に着座している場合には、図１１に示すように、乗員３００Ａの指の操作により、画面分割後の第１の表示画面１０１Ａのデフォルト画像である主画像が、乗員３００Ａが着座している方に近い表示画面１０１の左側に分割表示される。
【００７５】
これにより、本例のワイドパネル１００においては、画面分割操作によって表示画面１０１が２分割されても、デフォルト画像である主画像がオペレータの着座位置に近い側に表示されるので、オペレータが画面分割前に鑑賞していた主画像を、さほど違和感を抱かずに続けて鑑賞することができるようになる。
【００７６】
なお、図１および図２に示すように、乗員３００Ａおよび乗員３００Ｂの二人が同じ主画像を鑑賞していて、ある時点で乗員３００Ａが違う副画像を見たいと思って表示画面１０１の画面分割操作を行った場合には、オペレータである３００Ａが着座している側に副画像を表示することが好ましい。
【００７７】
これにより、本例のワイドパネル１００においては、乗員３００Ａの画面分割操作によって表示画面１０１が２分割されても、デフォルト画像である主画像が乗員３００Ｂの着座位置に近い側に表示されるので、乗員３００Ｂが不快感を覚えることなく画面分割前に鑑賞していた主画像を続けて鑑賞することができるようになる。
【００７８】
ここで、表示画面１０１のタッチパネルを操作しているオペレータが車両２００の後部座席２０３の左右何れの着座位置に着座しているかの判定は、着座位置検出部１１１によって行われる。
【００７９】
本例のワイドパネル１００における着座位置検出部１１１は、後部座席２０３のシート部と背もたれ部に配設されている着座センサ（重量センサ）６００Ａ，６００Ｂの出力の有無によって、オペレータの着座位置を判定する。
【００８０】
すなわち、着座位置検出部１１１は、後部座席２０３の所定の着座位置に配設された各着座センサ６００Ａ，６００Ｂのうち、後部座席２０３の片方のみの着座センサ６００Ａ，６００Ｂから出力がある場合には、そこに着座している乗員がオペレータであると判定する。
【００８１】
また、着座位置検出部１１１は、後部座席２０３の所定の着座位置に配設された各着座センサ６００Ａ，６００Ｂの全てから出力がある場合（乗員が満席の場合）には、着座センサ（重量センサ）６００Ａ，６００Ｂの出力が小さい方の着座位置に着座している乗員がオペレータであると判定する。
【００８２】
これは、オペレータである乗員は、後部座席２０３のシート部から腰を若干浮かすようにしたり、背もたれ部から離れたりして、表示画面１０１のタッチパネルを触っている可能性が高いからである。
【００８３】
なお、画面分割後の第２の分割画面１０１Ｂに表示する副画像としては、例えば、運転席２０１の前方のコンソールボックス（不図示）に配設されたカーナビ４００の表示画面４０１に表示されている画像（ナビゲーション画像など）、あるいはワイドパネル１００の表示画面１０１の画面分割以前に前回表示していた画像ソース（テレビ映像など）である。
【００８４】
ここで、本例のワイドパネル１００においては、画面分割後の表示画面１０１の第２の分割画面１０１Ｂに表示する副画像として、運転席２０１のカーナビ４００の表示画面４０１に表示されているナビゲーション画像とすることが好ましい。
【００８５】
これにより、本例のワイドパネル１００においては、カーナビ４００の表示画面４０１に表示されているナビゲーション画像と、画面分割後のワイドパネル１００の表示画面１０１の第２の分割画面１０１Ｂに表示された副画像としてのナビゲーション画像とを同期させることが可能になる。
【００８６】
従って、本例のワイドパネル１００においては、その表示画面１０１に表示された副画像としてのナビゲーション画像を操作することで、カーナビ４００の表示画面４０１に表示されているナビゲーション画像を後部座席２０３の乗員３００Ａ，３００Ｂが操作できるようになる。
【００８７】
これにより、本例のワイドパネル１００においては、例えば、目的地や、その途中の給油ポイントおよび休憩ポイントなどを、運転者３００Ｃに代わって先に検索し、その検索結果をカーナビ４００の表示画面４０１に転送表示するなど、比較的手の空いている後部座席２０３の乗員３００Ａ，３００Ｂが運転者３００Ｃにとって有益な情報を逐次提供することが可能になる。
【００８８】
ここで、表示画面１０１の画面分割前に表示していた主画像の縦横比は、図１２に示すように、画面分割後の第１分割画面１０１Ａに表示した場合でも、同じ縦横比を維持するようにしてもよい。
【００８９】
これにより、表示画面１０１の画面分割後の第１分割画面１０１Ａに表示される主画像が、画面分割により一部が欠けた画像になることが無くなり、鑑賞者が不快感を覚えることなく鑑賞することができるようになる。
【００９０】
また、本例のワイドパネル１００においては、図１３に示すように、表示画面１０１に表示されているレターボックス映像の縁をオペレータの指でドラッグするようにして縦方向に移動させることで、レターボックス映像を拡大することができる。
【００９１】
ここで、表示画面１０１に表示されている画像がレターボックス映像であることを判定する方法としては、例えば、映像信号線のアスペクト比識別信号（Ｓ端子やＤ端子等に規定されている）、映像信号から認識する方法がある。
【００９２】
なお、表示画面１０１に表示されている画像の水平ラインの平均輝度が規定値以下であれば、黒と認識し、一定本数の黒が時間的に継続していればレターボックスであると判定することも可能である。
【００９３】
また、本例のワイドパネル１００においては、以下の（１）から（５）に示すＡＮＤ条件を満たした場合に、表示画面１０１に表示されている画像の縁をオペレータが指でドラッグしたと判定することができる。
【００９４】
（１）接触開始点Ｓの高さ方向：ＳＹがレターボックスの境目の高さ方向：ＨｂまたはＨ−Ｈｂに対して、±規定範囲以内である。
【００９５】
（２）接触終了点Ｅの高さ方向：ＥＹが画面高さ方向：Ｈに対して±規定範囲内である。
【００９６】
（３）接触開始点Ｓから接触終了点ＥまでのＸ方向の変位が規定値以下。
【００９７】
（４）接触開始点Ｓの押下時から、接触終了点Ｅで指を離した時までの経過時間が規定範囲内である。
【００９８】
（５）接触開始点Ｓから接触終了点Ｅまでの間のＸ方向の移動量の総和を積算し、積算された値が所定の規定値を超えていないこと（これにより、接触開始点Ｓから接触終了点Ｅまでの間にオペレータの指が曲線を描く場合を除去することができる）。
【００９９】
また、本例のワイドパネル１００においては、図１４に示すように、表示画面１０１に表示されている画像をオペレータの指でドラッグするようにして、主画像と副画像の表示位置を左右入れ替えることが可能になっている。
【０１００】
ここで、本例のワイドパネル１００においては、以下の（１）から（５）に示すＡＮＤ条件を満たした場合に、表示画面１０１に表示されている画像をオペレータが指でドラッグしたと判定することができる。
【０１０１】
（１）接触開始点Ｓが２分割された分割画面のうちの一方の分割画面の中心付近であり、かつ接触終了点Ｅが反対側の分割画面の中心付近である。
【０１０２】
（２）接触開始点Ｓから接触終了点ＥまでのＹ方向の変位が規定値以下である。
【０１０３】
（３）接触開始点Ｓでの押下開始後、画面をつかむイメージで短時間指を静止させた後、指が移動動作を開始している。例えば、接触開始点Ｓでの押下開始後、規定時間以上（０．１秒程度）、接触開始点Ｓから規定範囲内（数ピクセル程度）を押下している。これにより「画面分割」の操作と、「画面入れ替え」の操作との違いを判定する。なお、この条件を満たした時点で、カーソルを「矢印」から「掴んでいる手」に変更してもよい。
【０１０４】
（４）接触開始点Ｓでの押下時から、接触終了点Ｅで指を離した時までの経過時間が規定範囲内である。
【０１０５】
（５）接触開始点Ｓから接触終了点Ｅまでの間のＹ方向の移動量の総和を積算し、積算された値がある規定値を超えていないこと（これにより、接触開始点Ｓから接触終了点Ｅまでの間にオペレータの指が曲線を描く場合を除去することができる）。
【０１０６】
また、本例のワイドパネル１００においては、表示画面１０１を２分割した際に、画面分割に対応して左右の第１スピーカ５００Ａと第２スピーカ５００Ｂから出力される音量を変えることが可能になっている。
【０１０７】
例えば、本例のワイドパネル１００においては、図１５に示すように、表示画面１０１を２分割することにより、表示画面１０１の左側の主画像の音声１０１Ａｖを左側の第１スピーカ５００Ａから出力し、表示画面１０１の右側の副画像の音声１０１Ｂｖを右側の第２スピーカ５００Ｂから出力することができる。
【０１０８】
ここでは、音量調節部１１２が、表示画面１０１に表示されている主画像と副画像との表示位置と左右のスピーカ５００Ａ，５００Ｂの音声とを対応させるように音量を調節する。
【０１０９】
また、本例のワイドパネル１００においては、表示画面１０１を２分割した際に、図１６に示すように、左側のスピーカ５００Ａからは、左側の主画像の音声１０１Ａｖの音量を大きく副画像の音声１０１Ｂｖの音量を小さくして出力し、右側のスピーカ５００Ｂからは、右側の副画像の音声１０１Ｂｖの音量を大きく主画像の音声１０１Ａｖの音量を小さくして出力させることができる。
【０１１０】
なお、本例のワイドパネル１００においては、スピーカが２つ以上、複数配設されている場合でも同様、分割画面の画像に対応した音量調整をすることができる。
【０１１１】
また、本例のワイドパネル１００においては、図１７に示すように、画面分割した第１の分割画面１０１Ａと第２の分割画面１０１Ｂとの画面サイズの比率を変えた時に、第１の分割画面１０１Ａと第２の分割画面１０１Ｂとの画面サイズに同期して、左右のスピーカ５００Ａ，５００Ｂから出力される主画像の音声１０１Ａｖの音量と副画像の音声１０１Ｂｖの音量とを、音量調節部１１２により調節することが可能となっている。
【０１１２】
これにより、本例のワイドパネル１００においては、図１７に示すように、左側の第１の分割画面１０１Ａの方が右側の第２の分割画面１０１Ｂより大きい場合には、左側の第１の分割画面１０１Ａの音声１０１Ａｖの音量をより大きく出力させることができる。
【０１１３】
また、本例のワイドパネル１００においては、図１８に示すように、画面分割した第１の分割画面１０１Ａと第２の分割画面１０１Ｂとの表示画面１０１上の表示位置を左右で入れ替えた時に、左右のスピーカ５００Ａ，５００Ｂから出力される主画像の音声１０１Ａｖと副画像の音声１０１Ｂｖとを対応して入れ替えることが可能になっている。
【０１１４】
次に、上述のようにして画面分割された表示画面１０１上の表示画像を、図１９に示すように、画面分割前の主画像表示に変更するときのオペレータの操作について説明する。
【０１１５】
本例のワイドパネル１００においては、以下の（１）から（６）に示すＡＮＤ条件を満たした場合に、画面分割された表示画面１０１上の表示画像を、画面分割前の主画像表示に変更する。
【０１１６】
（１）接触開始点ＳのＸ座標が分割境界線のＸ座標の規定範囲以内である。
【０１１７】
（２）接触開始点Ｓから接触終了点ＥまでのＸ方向の変位が規定値以上である。さらに、ＥＸ−ＳＸ＞０であれば各分割画面のうち左側の分割画面が、表示画面１０１の１画面全体に広がる（ここで、逆であれば各分割画面のうち右側の分割画面が、表示画面１０１の１画面全体に広がる）。
【０１１８】
（３）接触開始点Ｓでの押下開始後、オペレータの指が表示画面１０１を掴むイメージで短時間止まった後動作を開始している。つまり、接触開始点Ｓでの押下開始後、オペレータの指が規定時間以上（０．１秒程度）、接触開始点Ｓから規定範囲内（数ピクセル程度）を押下している。これで「画面分割」と「画面入れ替え」との違いを判定する。なお、この条件を満たした時点で、カーソルを「矢印」から「掴んでいる手」に変更してもよい。
【０１１９】
（４）接触開始点Ｓでの押下時から、接触終了点Ｅで指を離した時までの経過時間が規定範囲内である。
【０１２０】
（５）接触開始点Ｓから接触終了点Ｅまでの間のＸ，Ｙ方向の移動量の総和を積算し、積算された値がある規定値を超えていないこと（これにより、接触開始点Ｓから接触終了点Ｅまでの間にオペレータの指が曲線を描く場合を除去することができる）。
【０１２１】
（６）接触終了点ＥのＸ座標が表示画面１０１のディスプレイ中心のＸ座標から規定範囲内であれば、各分割画面の左右の画面サイズの比率を変更、規定範囲外であれば、１画面化する。
【産業上の利用可能性】
【０１２２】
本発明に係る表示装置は、オペレータが表示画面に触れた指を表示画面上でなぞって所定量移動させるという極めて容易な操作により表示画面を２分割することができるので、車両の後部座席の乗員がテレビ、ＶＴＲ、ＤＶＤ、カーナビゲーション等の画像を音声と共に鑑賞するためのディスプレイとして有用である。
【図面の簡単な説明】
【０１２３】
【図１】本発明の一実施の形態に係る表示装置を搭載するのに適した車両の概略構成を示す概略断面図
【図２】図１に示した車両の概略構成を示す概略平面図
【図３】本発明の一実施の形態に係る表示装置の構成を示すブロック図
【図４】本発明の一実施の形態に係る表示装置の表示画面を左右に２分割する場合のオペレータの画面分割操作を説明するための概略図
【図５】本発明の一実施の形態に係る表示装置の表示画面を上下に２分割する場合のオペレータの画面分割操作を説明するための概略図
【図６】本発明の一実施の形態に係る表示装置の表示画面をオペレータの指の軌跡に習った位置で左右に２分割する場合のオペレータの画面分割操作を説明するための概略図
【図７】本発明の一実施の形態に係る表示装置の表示画面をオペレータの指の軌跡の位置に応じて表示画面の中心位置で左右に２分割する場合のオペレータの画面分割操作を説明するための概略図
【図８】本発明の一実施の形態に係る表示装置の表示画面上に表記されるカーソルの種類をオペレータの指の軌跡から得られる条件に応じて変更する場合のオペレータの操作を説明するための概略図
【図９】本発明の一実施の形態に係る表示装置の表示画面の２分割後の分割画面の表示位置をオペレータの指の接触終了点の位置により選択する場合のオペレータの画面分割操作を説明するための概略図
【図１０】本発明の一実施の形態に係る表示装置の表示画面の２分割後の分割画面の表示位置をオペレータの指の接触終了点の位置により選択する場合のオペレータの他の画面分割操作を説明するための概略図
【図１１】本発明の一実施の形態に係る表示装置の表示画面の２分割後の分割画面の表示位置をオペレータの着座位置に応じて選択する場合のオペレータの画面分割操作を説明するための概略図
【図１２】本発明の一実施の形態に係る表示装置の表示画面を２分割する場合の画面分割後の副画像の縦横比について説明するための概略図
【図１３】本発明の一実施の形態に係る表示装置の表示画面に表示されているレターボックス映像を拡大する場合のオペレータの操作を説明するための概略図
【図１４】本発明の一実施の形態に係る表示装置の表示画面に表示されている主画像と副画像との表示位置を入れ替える場合のオペレータの操作を説明するための概略図
【図１５】本発明の一実施の形態に係る表示装置の表示画面に表示されている主画像と副画像との表示位置と左右のスピーカの出力とを対応させる場合の動作を説明するための概略図
【図１６】本発明の一実施の形態に係る表示装置の表示画面の画面分割後の画面サイズに応じて左右のスピーカから出力される主画像と副画像との音声の音量を調節する場合の動作を説明するための概略図
【図１７】本発明の一実施の形態に係る表示装置の表示画面に表示されている主画像と副画像と左右のスピーカから出力される音声の割合とを対応させる場合の動作を説明するための概略図
【図１８】本発明の一実施の形態に係る表示装置の表示画面の２分割された分割画像の表示位置を左右で入れ替えた場合に左右のスピーカから出力される音声も左右入れ替える場合の動作を説明するための概略図
【図１９】本発明の一実施の形態に係る表示装置の表示画面の２分割された分割画像を、画面分割前の主画像表示に変更するときのオペレータの操作について説明するための概略図
【符号の説明】
【０１２４】
１００  ワイドパネル
１０１  表示画面
１０１Ａ  第１の分割画面
１０１Ｂ  第２の分割画面
１０２  画像表示部
１０３  接触位置検出部
１０４  移動量算出部
１０５  移動量判定部
１０６  位置ずれ量算出部
１０７  位置ずれ量判定部
１０８  画面分割制御部
１０９  接触時間計測部
１１０  接触時間判定部
１１１  着座位置検出部
１１２  音量調節部
５００Ａ  第１スピーカ
５００Ｂ  第２スピーカ
６００Ａ，６００Ｂ  着座センサ
Ｌａ  移動量
Ｌｓ  基準移動量
Ｓ  接触開始点
Ｅ  接触終了点
δ  位置ずれ量
δｓ  基準位置ずれ量
【図１】
0004700539.tif 000002
【図２】
0004700539.tif 000003
【図３】
0004700539.tif 000004
【図４】
0004700539.tif 000005
【図５】
0004700539.tif 000006
【図６】
0004700539.tif 000007
【図７】
0004700539.tif 000008
【図８】
0004700539.tif 000009
【図９】
0004700539.tif 000010
【図１０】
0004700539.tif 000011
【図１１】
0004700539.tif 000012
【図１２】
0004700539.tif 000013
【図１３】
0004700539.tif 000014
【図１４】
0004700539.tif 000015
【図１５】
0004700539.tif 000016
【図１６】
0004700539.tif 000017
【図１７】
0004700539.tif 000018
【図１８】
0004700539.tif 000019
【図１９】
0004700539.tif 000020